(57)【要約】【課題】  簡単な操作で、収納空間の容積を変更可能な容器を提供することを目的とする。【解決手段】  弁当本体１１の底板１６を収納空間ａの方向に突出変形させることで、弁当箱１０の容積を減少できる。また、底板１６を収納空間ａとは反対の方向に突出変形させることで、弁当箱１０の容積を増大できる。このように、壁板１９の一部の底板１６を容積変更壁板部としたので、収納空間ａに詰めるごはんの増減に応じて、弁当箱１０の内容量を変更できる。【選択図】図１
2005059898.tif 000002
【特許請求の範囲】
【請求項１】
被収納体の収納空間を画成する壁板を備えた容器であって、
前記壁板の少なくとも一部を、前記収納空間の方向およびまたは該収納空間とは反対の方向に突出変形させ、前記収納空間の容積を変更可能な容積変更壁板部とした容器。
【請求項２】
前記容積変更壁板部の外縁に、屈曲可能なヒンジ部を設けた請求項１に記載の容器。
【請求項３】
前記壁板、容積変更壁板部、ヒンジ部のうちの何れかに、前記容積変更壁板部の突出変形した状態を保持する掛止部を設けた請求項１または請求項２に記載の容器。
【請求項４】
前記容器が、開口部を有する容器本体と、前記開口部を塞ぐ蓋体とを有した請求項１〜請求項３のうち何れか１項に記載の容器。
【請求項５】
前記容積変更壁板部は、前記容器本体およびまたは前記蓋体に設けられた請求項４に記載の容器。
【請求項６】
前記容積変更壁板部には、該容積変更壁板部の収納空間の方向およびまたは該収納空間とは反対の方向への突出変形が容易なように、握り部を設けた請求項１〜請求項５のうち、何れか１項記載の容器。
【請求項７】
前記握り部付きの容積変更壁板部を、前記容器本体の底板および蓋体の上板の一方に設け、
前記握り部の収納部を、前記容器本体の底板および蓋体の上板の他方に設けた請求項６に記載の容器。
【請求項８】
被収納体の収納空間を画成する壁板を備えた容器であって、
前記収納空間に出し入れ自在に収納され、該収納空間を上下に画成する仕切り部材を有した容器。
【請求項９】
前記仕切り部材は、
前記収納空間を上下に画成する仕切り板と、該仕切り板を収納空間の所定の高さ位置で支持する支持部とを有し、
該支持部は、前記仕切り板の表面から突出した表側突出部と、前記仕切り板の裏面から突出した裏側突出部とを有し、
前記表側突出部と裏側突出部とは、前記仕切り板の対応する表面または裏面からの高さが異なる請求項８に記載の容器。
【請求項１０】
被収納体の収納空間を画成する壁板を備えた容器であって、
前記壁板の少なくとも一部を、前記収納空間の方向およびまたは該収納空間とは反対の方向に突出変形させ、前記収納空間の容積を変更可能な容積変更壁板部とし、
前記収納空間に出し入れ自在に配置され、該収納空間を上下に画成する仕切り部材を有した容器。
【請求項１１】
前記容器が弁当箱である請求項１〜請求項１０のうち何れか１項に記載の容器。
【発明の詳細な説明】
【技術分野】
【０００１】
この発明は容器、詳しくは簡単な操作で、被収納物を収納する収納空間の容積を変更可能な容器に関する。
【背景技術】
【０００２】
従来の弁当箱（容器）は、例えば特許文献１のように、上面に開口部が形成された平面視して矩形状の弁当本体と、この弁当箱の開口部を開閉自在に塞ぐ蓋体とから構成されている。弁当箱は、弁当本体の収納空間にごはんやおかずを詰めた後、開口部を蓋体で閉めて持ち運ぶ。
【０００３】
【特許文献１】実開平５７−１８６３３２号公報
【発明の開示】
【発明が解決しようとする課題】
【０００４】
しかしながら、特許文献１の弁当箱によれば、例えば予め規定された弁当箱の内容量を超える大盛りのごはんや大盛りのおかずを弁当本体に詰めると、蓋体が閉じれなくなるおそれがあった。また、その状態で無理やり蓋体を閉じると、蓋体に作用する外力により、ごはんやおかずが押し潰されて、外観、食感や味が低下するおそれがあった。
一方、弁当箱の規定された内容量を下回る小盛りのごはんや小盛りのおかずを詰めた場合には、弁当箱を持ち運ぶ間の振動により、ごはんやおかずが収納空間を移動して弁当本体の壁板や蓋体に衝突し、その衝撃でごはんやおかずが押し潰されて、同じように食感などが低下していた。
【０００５】
そこで、発明者は、鋭意研究の結果、弁当箱の壁板の少なくとも一部に、収納空間の方向か収納空間とは反対の方向に突出変形する容積変更壁板部を設ければ、ごはんやおかずの増減に応じて、閉蓋時に蓋体でごはんやおかずを押し潰さないとともに、弁当箱の携帯時にごはんやおかずが収納空間を移動し難いくらいまで、弁当箱の内容量を変更できることを見出し、この発明を完成させた。
【０００６】
この発明は、簡単な操作で、収納空間の容積を変更することができる容器を提供することを目的としている。
また、この発明は、簡単かつ低コストで製造することができる容器を提供することを目的としている。
【課題を解決するための手段】
【０００７】
請求項１に記載の発明は、被収納体の収納空間を画成する壁板を備えた容器であって、前記壁板の少なくとも一部を、前記収納空間の方向およびまたは該収納空間とは反対の方向に突出変形させ、前記収納空間の容積を変更可能な容積変更壁板部とした容器である。  請求項１の発明によれば、容積変更壁板部を収納空間の方向に突出変形させることで、容器の容積を減少することができる。また、容積変更壁板部を収納空間とは反対の方向に突出変形させることで、容器の容積を増大することができる。このように、壁板の少なくとも一部を容積変更壁板部としたので、被収納物の増減に応じて、容器の内容量を変更することができる。
【０００８】
壁板の素材は限定されない。例えば、各種の紙（プラスチックフィルムとのラミネート紙を含む）、各種のプラスチック（ポリプロピレン、ポリエチレン、ポリスチレンなど）、各種の金属（アルミニウム、アルマイトなど）、木（杉、檜、桐など）、各種のセラミックスなどを採用することができる。
容器の形状は限定されない。例えば、平面視して円形、楕円形、三角形、四角形以上の多角形の箱体でもよい。その他、任意の形状でもよい。
【０００９】
容器の用途は限定されない。例えば各種の個体（粉体、粒体、塊体）を収納する容器、各種の液体を収納する容器、各種の気体を収納する容器が挙げられる。具体的には、弁当箱、その他の食品を含む物品を収める箱やトレー、ハンバーガー用のケース、バケツ、小物入れ、衣類や雑貨品などを入れる収納ボックス、植木鉢、梱包箱、ごみ箱、ティッシュボックス、トイレットペーパー収納箱（この場合、容積変更壁板部の突出変形によりトイレットペーパー１個分、または数個分の容量を変更する）、筆箱、化粧ポーチ、鞄、バッグ、米びつ、各種の調味料入れなどが挙げられる。
容器の構成体は限定されない。例えば被収納体の収納空間を有する容器本体と、その蓋体とから構成されるものでもよい。また、蓋体がないものでもよい。
被収納体は、容器の用途に応じて適宜変更される。
【００１０】
壁板の全部が容積変更壁板部でもよいし、壁板の一部（例えば底壁板、側壁板など）が容積変更壁板部でもよい。
容積変更壁板部の素材には、前記壁板の素材として記載したものを採用することができる。また、容積変更壁板部の素材と壁板の素材とは同じでもよいし、異なってもよい。
容積変更壁板部は、少なくともその一部が、外力で変形したり、加熱または冷却することで変形したり（形状記憶合金、形状記憶樹脂など）、紫外線などの光や電波で変形する素材でなければならない。例えば、外力で変形する材料としては、屈曲可能な厚さまで薄肉化された紙板、プラスチック板などを採用することができる。
容積変更壁板部が突出変形する方向は、収納空間の方向でもよい。また、収納空間とは反対の方向でもよい。さらには、収納空間の方向と収納空間とは反対の方向との両方でもよい。容積変更壁板部の突出変形で変更される容器の容積量は限定されない。また、その容積の変更量は、多段的に変更してもよい。
【００１１】
請求項２に記載の発明は、前記容積変更壁板部の外縁に、屈曲可能なヒンジ部を設けた請求項１に記載の容器である。
請求項２の発明によれば、容積変更壁板部は、外縁のヒンジ部を介して屈曲される。そのため、簡単かつ低コストで、この発明の効果を有する容器を製造することができる。
ヒンジ部は、壁板およびまたは容積変更壁板部と同じ素材でもよい。また、異なる素材でもよい。具体的なヒンジ部としては、紙の折り目部分、樹脂ヒンジ、または、回動軸を中心として２枚の板材を回動自在に連結した兆番でもよい。
【００１２】
壁板とヒンジ部と容積変更壁板部とを、プラスチックにより一体成形してもよい。これにより、さらに簡単かつ低コストで、この発明の効果を有する容器を製造することができる。ここでのヒンジ部は、例えば壁板と容積変更壁板部とを一体的に連結する樹脂ヒンジとなる。
ヒンジ部を、容積変更壁板部の外縁だけでなく、この外縁より容積変更壁板部の中央部側にも、外縁と平行に１つ設けることで、容器の容積を２段階に変更してもよい。また、容積変更壁板部の外縁より容積変更壁板部の中央部側に、それぞれ外縁と平行で、かつ互いに離間した複数のヒンジ部を配設することで、容器の容積を３段以上の多段階に変更してもよい。
【００１３】
請求項３に記載の発明は、前記壁板、容積変更壁板部、ヒンジ部のうちの何れかに、前記容積変更壁板部の突出変形した状態を保持する掛止部を設けた請求項１または請求項２に記載の容器である。
請求項３の発明によれば、容積変更壁板部が突出変形すると、その変形状態は掛止部により保持される。そのため、容器に所定の外力が作用しても、容積変更壁板部の突出変形状態を保持することができる。また、容積変更壁板部を元の状態に戻す際には、掛止部の掛止状態を解除し、例えば外力などを容積変更壁板部に作用させればよい。
【００１４】
掛止部は、壁板だけ、容積変更壁板部だけまたはヒンジ部だけに設けてもよい。さらには、壁板と容積変更壁板部との間、壁板とヒンジ部との間、または容積変更壁板部とヒンジ部との間に設けてもよい。そして、掛止部は、壁板と容積変更壁板部とヒンジ部との間に設けてもよい。
掛止部は、壁板、容積変更壁板部、ヒンジ部に一体的に形成してもよい。また、別体で形成してもよい。
掛止部の素材、形状、大きさは限定されない。例えば、掛止部の形状としては、所定の凹部と、これに掛合する凸部とを有した掛止部でもよい。
【００１５】
請求項４の発明は、前記容器が、開口部を有する容器本体と、前記開口部を塞ぐ蓋体とを有した請求項１〜請求項３のうち何れか１項に記載の容器である。
容器本体の素材、蓋体の素材は限定されない。その形状も限定されない。容器本体と蓋体とは、別体として形成されたものでもよいし、一体的に形成されたものもでもよい。
【００１６】
請求項５の発明は、前記容積変更壁板部は、前記容器本体およびまたは前記蓋体に設けられた請求項４に記載の容器である。
請求項５の発明によれば、容積変更壁板部を容器本体およびまたは蓋体の収納空間の方向または収納空間とは反対側の方向に突出変形させることで、被収納体の増減に合わせ、収納空間の容積を増減させることができる。
容器本体の素材、蓋体の素材は限定されない。その形状も限定されない。容器本体と蓋体とは、別体として形成してもよいし、一体的に形成してもよい。
【００１７】
請求項６の発明は、前記容積変更壁板部には、前記収納空間の方向およびまたは該収納空間とは反対の方向への突出変形が容易なように、握り部を設けた請求項１〜請求項５のうち、何れか１項記載の容器である。
請求項６の発明によれば、握り部を握って、容積変更壁板部を操作できるので、容積変更壁板部の収納空間の方向およびまたは収納空間とは反対の方向へ突出変形が容易になる。
握り部の形状、大きさなどは限定されない。握り部は、握り部が設けられる容器本体およびまたは蓋体と一体でもよいし、別体でもよい。
【００１８】
請求項７の発明は、前記握り部付きの容積変更壁板部を、前記容器本体の底板および蓋体の上板の一方に設け、前記握り部の収納部を、前記容器本体の底板および蓋体の上板の他方に設けた請求項６に記載の容器である。
請求項７の発明によれば、容器の段積み時、隣接する上下段の一方に設けられた握り部が、隣接する上下段の他方に設けられた収納部に収納される。これにより、突出した握り部が邪魔にならず、容器を荷崩れなく段積みすることができる。
収納部の形状は、対応する握り部の形状により決定される。
【００１９】
請求項８に記載の発明は、被収納体の収納空間を画成する壁板を備えた容器であって、前記収納空間に出し入れ自在に収納され、該収納空間を上下に画成する仕切り部材を有した容器である。
請求項８の発明によれば、仕切り部材により収納空間が上下に画成されるので、上げ底式に被収納体の量に応じて収納空間を増減することができる。すなわち、仕切り部材を収納すれば収納空間が狭くなり、仕切り部材を収納空間から取り外すと、収納空間が元の大きさに広がる。
仕切り部材の素材は限定されない。例えば、各種の紙（プラスチックフィルムとのラミネート紙を含む）、各種のプラスチック（ポリプロピレン、ポリエチレン、ポリスチレンなど）、各種の金属（アルミニウム、アルマイトなど）、木（杉、檜、桐など）、各種のセラミックスなどを採用することができる。
【００２０】
請求項９に記載の発明は、前記仕切り部材は、前記収納空間を上下に画成する仕切り板と、該仕切り板を収納空間の所定の高さ位置で支持する支持部とを有し、該支持部は、前記仕切り板の表面から突出した表側突出部と、前記仕切り板の裏面から突出した裏側突出部とを有し、前記表側突出部と裏側突出部とは、前記仕切り板の対応する表面または裏面からの高さが異なる請求項８に記載の容器である。
請求項９の発明によれば、表側突出部と裏側突出部との高さが異なるので、表側を上にして仕切り板を収納空間に収納したときの仕切り板の収納空間での高さと、裏側を上にして仕切り板を収納空間に収納したときの仕切り板の収納空間での高さとが異なる。このように、仕切り部材の表裏面を変更することで上げ底の高さが変更され、被収納体の収納空間での収納量を変更することができる。
仕切り板と支持部とは一体的に形成してもよいし、別体で形成してもよい。
表側突出部と裏側突出部との高さの差は限定されない。
【００２１】
請求項１０に記載の発明は、被収納体の収納空間を画成する壁板を備えた容器であって、前記壁板の少なくとも一部を、前記収納空間の方向およびまたは該収納空間とは反対の方向に突出変形させ、前記収納空間の容積を変更可能な容積変更壁板部とし、前記収納空間に出し入れ自在に配置され、該収納空間を上下に画成する仕切り部材を有した容器である。
請求項１０の発明によれば、容積変更壁板部を収納空間の方向およびまたは収納空間とは反対の方向に突出変形することにより、被収納物の増減に応じて、容器の内容量を変更することができる。しかも、仕切り部材を用いて収納空間を上下に画成すれば、上げ底式に被収納体の収納空間を増減することができる。
【００２２】
請求項１１に記載の発明は、前記容器が弁当箱である請求項１〜請求項１０のうち何れか１項に記載の容器である。
請求項１１の発明によれば、容積変更壁板部を収納空間の方向または収納空間とは反対側の方向に突出変形させることで、ごはんやおかずの増減に合わせ、ごはんの収納空間の容積およびまたはおかずの収納空間の容積を増減させることができる。特に、容積変更壁板部を蓋体に設けた場合には、容積変更壁板部の収納空間とは反対方向の突出変更させても、弁当本体の底面が変動しない。そのため、設計された通りの容器の座り（載置時の安定性）を保持することができる。仮に、弁当本体の底壁板に容積変更壁板部を設けた場合には、容積変更壁板部の収納空間とは反対方向の突出変更により、弁当本体の底面が変動する。弁当本体の底面が変動すると、その変動の状態により弁当本体の座りが不安定になるおそれがある。
弁当本体の素材、蓋体の素材は限定されない。その形状も限定されない。弁当本体と蓋体とは、別体として形成されたものでもよいし、一体的に形成されたものもでもよい。
容積変更壁板部は、弁当本体に設けてもよいし、蓋体に設けてもよい。または、弁当本体と蓋体との両方に設けてもよい。
【発明の効果】
【００２３】
請求項１の発明によれば、容器の壁板の少なくとも一部を、収納空間の方向およびまたは収納空間とは反対の方向に突出変形する容積変更壁板部としたので、被収納物の増減に応じて、容器の内容量を変更することができる。
【００２４】
特に、請求項２の発明によれば、容積変更壁板部の外縁にヒンジ部を設けたので、簡単かつ低コストで、この発明の効果を有する容器を製造することができる。
【００２５】
請求項３の発明によれば、容積変更壁板部の突出変形した状態を保持する掛止部を設けたので、容器に所定の外力が作用しても、容積変更壁板部の突出変形状態を保持することができる。
【００２６】
請求項５の発明によれば、被収納物の増減に合わせ、容器本体およびまたは蓋体の容積変更壁板部を突出変更させることで、被収納物の収納空間の容積を増減させることができる。
【００２７】
請求項６の発明によれば、握り部を握って、容積変更壁板部を操作できるので、容積変更壁板部の収納空間の方向およびまたは収納空間とは反対の方向へ突出変形を容易にすることができる。
【００２８】
請求項７の発明によれば、容器の段積み時、隣接する上下段の一方に設けられた握り部が、隣接する上下段の他方に設けられた収納部に収納される。その結果、突出した握り部が邪魔にならず、容器を荷崩れなく段積みすることができる。
【００２９】
請求項８の発明によれば、仕切り部材により収納空間を上下に画成したので、上げ底式に被収納体の収納空間を増減することができる。
【００３０】
請求項９の発明によれば、仕切り部材が仕切り板と支持部とを具備し、支持部は高さが異なる表側突出部と裏側突出部とを有しているので、収納空間における仕切り部材の表裏面を変更するだけで、被収納体の収納空間での収納量を変更することができる。
【００３１】
請求項１０の発明によれば、容積変更壁板部を収納空間の方向およびまたは収納空間とは反対の方向に突出変形することで、被収納物の増減に応じて、容器の内容量を変更することができる。しかも、仕切り部材を用いて収納空間を上下に画成すれば、上げ底式に被収納体の収納空間を増減することができる。
【００３２】
請求項１１の発明によれば、容積変更壁板部を収納空間の方向または収納空間とは反対側の方向に突出変形させることで、ごはんやおかずの増減に合わせ、ごはんの収納空間の容積およびまたはおかずの収納空間の容積を増減させることができる。
そのため、例えば糖尿病患者のように、一日のカロリー摂取が制限されている人の場合、容積変更壁板部の収納空間の突出変形量を一定とすれば、計量器を用いてごはんやおかずの重さを計らなくても、摂取カロリーの定量変更を行うことができる。具体的には、容積変更壁板部を収納空間の方向に突出変更し、ごはんの収納空間の容積を小さくした場合のごはんの重さを３００ｇとする。一方、容積変更壁板部を収納空間とは反対側の方向に突出変更し、ごはんの収納空間の容積を大きくした場合のごはんの重さを５００ｇとする。ごはんの重さが一定であれば、ごはんにより摂取されるカロリーも一定となる。
【発明を実施するための最良の形態】
【００３３】
以下、図面を参照して、この発明の実施例を説明する。
【実施例１】
【００３４】
図１〜図４において、１０はこの発明の実施例１の弁当箱（容器）で、この弁当箱１０は、上面に開口部を有する弁当本体（容器本体）１１と、開口部を塞ぐ蓋体１２とを有した安価な使い捨てタイプである。
弁当本体１１および蓋体１２は、平面視して矩形状を有し、２枚の樹脂フィルムでラミネートした３層構造の薄肉な発泡合成樹脂板を、所定の金型で熱プレスして成形されたものである。なお、熱プレス成形に代えて、射出成形または押し出し成形などを採用してもよい。発泡合成樹脂には、ポリエチレン、ポリプロピレンなどが採用される。
【００３５】
弁当本体１１は、ごはん（被収納体）の収納空間ａが内側に画成されたごはん収納部１３と、おかず（被収納体）の収納空間ｂが内側に画成されたおかず収納部１４に二分割されている。ごはん収納部１３とおかず収納部１４とは、互いの突き合わせ側の上端部同士が一体的に連結されている。おかず収納部１４の底板１５は平坦である。
一方、ごはん収納部１３の底部を構成し、収納空間ａの容積を変更可能な底板（容積変更壁板部）１６は、盛り土の法面のように、４辺の各端部が傾斜した状態で収納空間ａの方向（上方）に突出している。すなわち、底板１６は、前記底板１５より上方に配置された平面視して略正方形状の中央部分板１７と、傾斜面（法面）を構成する平面視して長方形の４枚の側部分板１８とを有している。
【００３６】
また、中央部分板１７と各側部分板１８との間、および、各側部分板１８とこれに対応するごはん収納部１３の形成用側板１９との間には、折り曲げが可能な樹脂ヒンジを構成する折り目部（ヒンジ部）２０がそれぞれ配置されている。折り目部２０は、前記発泡合成樹脂板の熱プレス時に、他の部分より強く加圧することで薄肉化された線条部分である。折り目部２０の長さ方向に直交した断面形状は、下弦の円弧形状である。断面を円弧形状とすることで、その後、底板１６を突出変形させた際、その変形が円滑になる。また、この変形をより円滑化させるために、例えば各折り目部２０を、互いに平行な２条折り目としてもよい。その場合、一方の折り目部２０を上弦形状、他方の折り目２０を下弦形状とすることができる。
【００３７】
両短尺側の側部分板１８には、その中央部分板１７側の両隅部の内面（収納空間ａ側の面）に、平面視して矩形状を有する小隆起部（掛止部）２１Ａが１対離間してそれぞれ突設されている。また、両長尺側の側部分板１８には、その中央部分板１７側の両隅部の内面（収納空間ａ側の面）であって、両小隆起部（掛止部）２１Ａ間に嵌入可能な位置に、平面視して矩形状を有する１つの小隆起部（掛止部）２１Ｂが突設されている。合計３つの小隆起部２１Ａ，２１Ｂの先端部は、対応する折り目部２０の上を若干跨ぐように、隣接する側部分板１８側に延長されている。
【００３８】
各小隆起部２１Ａの延長部一帯の対向側の面には、略半球形状を有する１対の凹部２１ａがそれぞれ形成されている。また、小隆起部２１Ｂの延長部一帯の両側面には、対応する凹部２１ａに掛脱可能な略半球形状を有する１対の凸部２１ｂがそれぞれ形成されている。底板１６が収納空間ａの方向に突出した状態では、各小隆起部２１Ａ，２１Ｂ同士は掛合解除の状態となっている（図３（ａ））。
【００３９】
次に、図１〜図３を参照して、実施例１の弁当箱１０の使用方法を説明する。
まず、ごはんが普通盛りの場合の使用方法を説明する。この際には、底板１６が収納空間ａの方向に突出した成形直後（出荷時）の状態で、ごはんを収納空間ａに詰めるとともに、おかずを収納空間ｂに詰め、蓋体１２を閉める。
【００４０】
ごはんを大盛りで詰める場合には、掌やしゃもじの先などで、ごはん収納部１３の中央部分板１７を収納空間ａ側（内側）から強く押す。これにより、各折り目部２０を折り返し線として、底板１６が収納空間ａとは反対方向（外方向）に突出変形する（図１および図２の二点鎖線参照）。このとき、各折り目部２０は、底板１６の他の部分より薄肉でかつ断面が円弧形状である。そのため、底板１６は、適度な外力を作用させた際にだけ、スムーズに折り返される。また、底板１６が外方に折り返されると各側部分板１８が斜めに立ち上がる。その結果、両小隆起部２１Ａの延長部間に、小隆起部２１Ｂの延長部が押し込まれる。このとき、両小隆起部２１Ａの凹部２１ａと、小隆起部２１Ｂの対応する凸部２１ｂとがそれぞれ掛合する。これにより、底体１６の外方への突出変形状態が保持される。
【００４１】
使用後の弁当箱１０は、通常、ごみ箱などに廃棄される。ただし、弁当箱１０を普通盛り用の弁当箱として再使用する場合、および、誤って底板１６を外方に突出変形させた場合には、ごはん収納部１３の中央部分板１７を収納空間ａとは反対側（外側）から強く押す。これにより、凹部２１ａと凸部２１ｂとの掛合状態が解除されて両小隆起部２１Ａ，２１Ｂの延長部同士が離反し、底板１６は収納空間ａの方向に突出変形する。こうして、ごはん収納部１３を普通盛り用に戻すことができる。
【００４２】
このように、弁当箱１０の底板１６を、収納空間ａの方向および収納空間ａとは反対の方向に突出変形する容積変更壁板部としたので、ごはんの増減に応じて、ごはん収納部１３の内容量を変更することができる。これにより、普通盛りのごはん収納部１３に大盛り分のごはんを詰めた際に起きるごはんの押し潰しが解消される。
また、底板１６の外縁に折り目部２０を設けたので、簡単かつ低コストで弁当箱１０を製造することができる。
底板１６の突出変形した状態を保持する小隆起部２１Ａ，２１Ｂを設けたので、弁当箱１０に若干の外力が作用しても、底板１６の突出変形状態を保持することができる。
底板１６を収納空間ａの方向または収納空間ａとは反対側の方向に突出変形させることで、ごはん収納部１３に詰められるごはんの量に応じて、それぞれごはんを押し潰すことがない普通盛り用の収納空間ａと、大盛り用の収納空間ａとに任意に変更することができる。
【００４３】
なお、図１の二点鎖線に示すように、おかず収納部１４の底板１５も前記底板１６と同じように、収納空間ｂの方向および収納空間ｂとは反対の方向に突出変形可能な形状としてもよい。これにより、おかずの増減に応じて、収納空間ｂの容積を変更することができる。
また、図４に示すように、３つの小隆起部２１Ａ，２１Ｂに代えて、隣接する各側部分板１８同士の突き合わせ部分の内面（収納空間ａ側の面）には、底板１６を収納空間ａとは反対方向に突出変形させた際、互いの凹部と凸部とが掛合する平面視してＳ字形状を有するＳ字隆起部（掛止部）２１Ｃを１対配設してもよい。各Ｓ字隆起部２１Ｃの凸部は、突き合わせ側の縁から外方（対応する折り目部２０側）に突出している。また、各Ｓ字隆起部２１Ｃの凹部は、突き合わせ側の縁から側部分板１８の中央部側に凹んでいる。底板１６が収納空間ａの方向に突出した状態では、隣接するＳ字隆起部２１Ｃ同士は掛合解除の状態となっている。
【００４４】
底板１６を収納空間ａとは反対方向（外方向）に突出変形させると、互いに隣接する各Ｓ字隆起部２１同士が掛合する。これにより、底体１６の外方への突出変形状態が保持される。仮に、誤って底板１６を外方に突出変形させた場合などには、ごはん収納部１３の中央部分板１７を収納空間ａとは反対側（外側）から強く押す。これにより、隣接する各Ｓ字隆起部２１同士の掛合状態が解除され、底板１６は収納空間ａの方向に突出変形する。こうして、ごはん収納部１３を普通盛り用に戻すことができる。
さらに、図示しないが、図１の底板１６が、収納空間ａとは反対の方向への突出変形した状態を弁当箱１０の普通盛り対応状態とした場合には、底板１６を収納空間ａの方向へ突出変形させた状態を、ごはんの小盛り対応状態とすることができる。
【００４５】
さらにまた、図５に示すように、弁当箱１０Ａの蓋体１２の上板（容積変更壁板部）３０を、底板１６と同じように収納空間ａの方向および収納空間ａとは反対の方向に突出変形可能な形状としてもよい。これにより、蓋体１２を収納空間ａとは反対の方向に突出変形させることで、ごはん（おかずの場合も同じ）が大盛りであることを、弁当の購買者および購入者に、視覚的にアピールすることができる。その結果、弁当の普通盛りと大盛りとの取り違いの発生頻度が低減される。なお、弁当箱１０Ａはごはん専用である。
【実施例２】
【００４６】
次に、図６および図７を参照して、この発明の実施例２を説明する。
図６および図７において、１０Ｂはこの発明の実施例２の弁当箱（容器）である。弁当箱１０Ｂは、蓋体１２の上板（容積変更壁板部）３０の中央部に、外方（収納空間ａとは反対方向）に突出した平面視して矩形状の握り部１２ａが一体形成されている。また、握り部１２ａの先端部には、握り易いように滑り止めのフランジが形成されている。しかも、底板１６の中央部には、下段配置される別の弁当箱１０Ｂの握り部１２ａを収納自在な、平面視して矩形状の収納部１６ａが一体形成されている。
さらに、蓋板１２の一方の対角線のうち、握り部１２ａ近傍の１対の領域には、３つで１組の小隆起部２１Ａ，２１Ｂが１組ずつ配設されている。そのため、握り部１２ａを握って、上板３０を外方へ突出変形させると、上板３０の外方への変形状態は、両小隆起部２１Ａ間に小隆起部２１Ｂが押し込まれ、凹部２１ａと突部２１ｂとが掛合されることで保持される。
【００４７】
このように、握り部１２ａを握って上板３０を操作できるので、上板３０の外方または内方への突出変形が容易になる。
また、弁当箱１０Ｂの段積み時、下段の弁当箱１０Ｂの蓋体１２の握り部１２ａが、上段の弁当箱１０Ｂの底板１６の収納部１６ａに収納される。その結果、突出した握り部１２ａが邪魔にならず、弁当箱１０Ｂを荷崩れなく段積みすることができる（図６）。
【実施例３】
【００４８】
次に、図８および図９を参照して、この発明の実施例３を説明する。
図８および図９において、４０はこの発明の実施例３の弁当箱（容器）で、この弁当箱４０は、上面に開口部を有する弁当本体１１Ａと、開口部を塞ぐ図示しない蓋体１２とを有した安価な使い捨てタイプである。
実施例３の弁当箱４０の特徴は、収納空間ａに出し入れ自在に収納され、収納空間ａを上下に画成する仕切り部材４１を有している点である。
仕切り部材４１は、平面視して略正方形状を有する仕切り板４２と、仕切り板４２を収納空間ａの所定の高さ位置で支持する、平面視して略正方形状の枠体である支持部４３とを有している。支持部４３は、仕切り板４２の表面から突出した表側突出部４３ａと、仕切り板４２の裏面から突出した裏側突出部４３ｂとから構成される。表側突出部４３ａと裏側突出部４３ｂと仕切り板４２とは、ポリエチレン、ポリプロピレンなどにより一体成形されている。表側突出部４３ａと裏側突出部４３ｂとは、仕切り板４２の対応する表面または裏面からの高さが異なっている。
【００４９】
実施例３の弁当箱４０によれば、仕切り部材４１により収納空間ａが上下に画成されるので、上げ底式にごはんの量に応じて収納空間ａを増減させることができる。すなわち、仕切り部材４１を収納すれば収納空間ａが狭くなり、仕切り部材４１を収納空間ａから取り外すと、収納空間ａが元の大きさに戻る。
また、実施例３では、表側突出部４３ａと裏側突出部４３ｂとの高さを異ならせている。そのため、表側を上にして仕切り板４２を収納空間ａに収納したときの仕切り板４２の収納空間ａでの高さと、裏側を上にして仕切り板４２を収納空間ａに収納したときの仕切り板４２の収納空間ａでの高さとが異なる。その結果、仕切り部材４１の表裏面を変更するだけで、ごはん収納部１３の上げ底の高さが変更され、収納空間ａに収納可能なごはんの収納量を変更することができる。
【００５０】
また、おかずの収納空間ｂに、小型で形状が平面視して矩形状の仕切り部材４１Ａを出し入れ自在に収納してもよい。仕切り部材４１Ａは、前記仕切り部材４１と機能的には同じである。これにより、おかずの収納空間ｂを上下に画成し、おかずの収納空間ｂへの収納量を変更することができる。
また、図示しないが、実施例１の収納空間ａの内外方向に突出変形可能な底板１６、または、実施例２の収納空間ａの内外方向に突出変形可能な上板３０と、実施例３の仕切り部材４１とを併用してもよい。例えば、ごはんを詰める収納空間ａ側の底板を内外方向に突出変形可能な底板１６とし、おかずを詰める収納空間ｂに、仕切り部材４１Ａを収納するようにしてもよい。これにより、ごはんの増減に応じて、ごはん収納部１３の内容量を変更することができると同時に、仕切り部材４１Ａにより収納空間ｂを上下に画成し、上げ底式に、おかず収納部１４の内容量を変更することができる。
その他の構成、作用、効果は第１の実施例と同じであるので、説明を省略する。
【図面の簡単な説明】
【００５１】
【図１】この発明の実施例１に係る容器の斜視図である。
【図２】この発明の実施例１に係る容器の要部拡大断面図である。
【図３】（ａ）この発明の実施例１に係る容器の掛止部の掛止前の状態を示す要部拡大斜視図である。（ｂ）この発明の実施例１に係る容器の掛止部による掛止状態を示す要部拡大斜視図である。
【図４】この発明の実施例１に係る別の形態の容器の掛止部の掛止状態を示す要部拡大斜視図である。
【図５】この発明の実施例１に係るさらに別の形態の容器の断面図である。
【図６】この発明の実施例２に係る容器の段積み状態を示す断面図である。
【図７】（ａ）この発明の実施例２に係る容器の蓋体の上方からの斜視図である。（ｂ）この発明の実施例３に係る容器の蓋体の下方からの斜視図である。
【図８】この発明の実施例３に係る容器の斜視図である。
【図９】この発明の実施例３に係る容器の要部拡大断面図である。
【符号の説明】
【００５２】
１０，１０Ａ，１０Ｂ，４０  弁当箱（容器）、
１１  弁当本体（容器本体）、
１２  蓋体、
１２ａ  握り部、
１６  底板（容積変更壁板部）、
１６ａ  収納部、
１９  壁板、
２０  折り目部（ヒンジ部）、
２１Ａ，２１Ｂ  小隆起部（掛止部）、
２１Ｃ  Ｓ字隆起部（掛止部）、
３０  上板（容積変更壁板部）、
４１  仕切り部材、
４１Ａ  仕切り部材、
４２  仕切り板、
４３  支持部、
４３ａ  表側突出部、
４３ｂ  裏側突出部、
ａ，ｂ  収納空間。
【図１】
2005059898.tif 000003
【図２】
2005059898.tif 000004
【図３】
2005059898.tif 000005
【図４】
2005059898.tif 000006
【図５】
2005059898.tif 000007
【図６】
2005059898.tif 000008
【図７】
2005059898.tif 000009
【図８】
2005059898.tif 000010
【図９】
2005059898.tif 000011